(57)【特許請求の範囲】
【請求項１】
断面略三角形の支持空間を形成した支持金具を屋根上に複数個配設し、板状の雪止兼熱伝導片と該雪止兼熱伝導片の一部を前記支持空間に収まるように突出した補強片より形成した熱伝導の良い部材からなる熱伝導材と、前記雪止兼熱伝導片に孔を形成し該孔に熱を発生する発熱材を装備してなる融雪部材を、前記支持金具の支持空間に挿通して固定したことを特徴とする雪止兼融雪構造。
【発明の詳細な説明】
【０００１】
【発明の属する技術分野】
本発明は、新築外装材（屋根）、既存の外装材（屋根）等に雪止機能と融雪機能を付加できる雪止兼融雪構造に関するものである。
【０００２】
【従来の技術】
従来、屋根等の外装に取り付ける雪止としては、アングル（山形綱）用雪止によりアングルを取り付ける方法、雪止金具を取り付ける方法、等により形成し、融雪装置は雪止とは別個に設置するものであった。
【０００３】
【発明が解決しようとする課題】
このように、雪止に融雪機能を付加したものは存在しなかった。
【０００４】
【課題を解決するための手段】
本発明はこのような欠点を除去するため、板状の雪止兼熱伝導片と、雪止兼熱伝導片の一部を突出した補強片より形成した熱伝導の良い部材からなる熱伝導材と、熱を発生する発熱材よりなる融雪部材を一体に形成した雪止兼融雪具を支持金具によって屋根上に形成した雪止兼融雪構造を提供するものである。
【０００５】
【発明の実施の形態】
以下に図面を用いて本発明に係る雪止兼融雪構造について詳細に説明する。図１（ａ）〜（ｃ）は本発明に係る雪止兼融雪構造に使用する融雪部材Ａ、熱伝導材Ｂ、発熱材Ｃ、支持金具Ｄを示す断面図である。図２（ａ）、（ｂ）は雪止兼融雪具Ｅを示す説明図、図３（ａ）、（ｂ）は屋根材Ｆと屋根材Ｆの施工状態を示す説明図、図４（ａ）、（ｂ）は融雪具Ｅの施工状態を示す説明図である。また、αは下地、βは釘等の固定具を示している。
【０００６】
下地αは、新築の際は図３（ｂ）に示すように垂木、野地板、防水シート（一点鎖線で示す）から構成した木造下地を示したものである。すなわち、垂木上に野地板を敷設し、野地板上に防水シートを配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、改修屋根の際には、これらに瓦（和瓦）、新生瓦（洋瓦）、金属製瓦棒屋根、金属製横葺屋根、金属製成形瓦屋根、等の既存屋根（図示せず）が含まれる構造である。
【０００７】
融雪部材Ａは熱伝導材Ｂと発熱材Ｃよりなるものであり、発熱材Ｃにより暖められた熱伝導材Ｂにより屋根上に積もった雪、降った雪を溶かすためのものである。
【０００８】
熱伝導材Ｂは、例えば図１（ａ）に示すように、雪止兼熱伝導片１と補強片２より形成し、内部に孔３を有する長尺状部材である。また、熱伝導材Ｂは熱を効率よく伝導（伝搬）するものであり、その素材としては、例えば金属材（アルミの押出材）である。勿論、耐候性・強度等の面で、各種材料を組み合わせた複合材でも使用可能である。
【０００９】
雪止兼熱伝導片１は図４（ａ）、（ｂ）に示すように棟方向に向けて施工され、積もった雪を溶かすと共に、雪止として機能する部分である。
【００１０】
補強片２は、屋根に雪が積もり雪止兼熱伝導片１に加重が加わった時に、熱伝導材Ｂが雪の加重により倒れ込まないようにするためのものである。
【００１１】
発熱材Ｃは熱伝導材Ｂを加熱し、屋根上に積もった雪、降った雪を溶かすためのものであり、例えば図１（ｂ）に示すように孔３内に挿入するものである。発熱材Ｃの一実施例としては、融雪ヒータよりなるものであり、図示しないがコネクターにより接続し、融雪ヒータに通電して融雪ヒータを発熱させ、この熱により屋根に積もった雪、降った雪を溶かし、排水するものである。勿論、スイッチのオン・オフは家屋内に形成した制御盤により制御でき、手動、あるいは降雪センサー、積雪量感知センサー、等のセンサーを利用してオン・オフし、作動させるものである。勿論、発熱材Ｃは熱伝導材Ｂを加熱できる機能が有れば良く、特に限定されるものではない。
【００１２】
支持金具Ｄは融雪部材Ａを屋根上に固定するためのものであり、複数個により図２（ｂ）に示すように熱伝導材Ｂを支持するものである。その一例としては、平面状の面４と、面４の一端を後記する屋根材Ｆの連結部形状に合わせて突出した固定片５と、面４の他端を上方に突出した垂直片６と、垂直片６の先端を内方に傾斜して突出した傾斜片７と、面４と垂直片６と傾斜片７とから形成した支持空間８と、傾斜片７の先端を面４に沿って突出した固定面９と、面４と固定面９を一体化するリベットＲとから形成した短尺状部材である。
【００１３】
支持金具Ｄの素材としては、例えば金属板（鋼、銅、アルミニウム、チタン、ステンレス、鉛、真鍮、サンドイッチ鋼板、クラッド鋼板等）等をプレス成形、押出成形、ロール成形、等によって形成したもの、あるいは窯業系素材、もしくは合成樹脂材（プラスチック）、もしくはこれら材料の複合材、等よりなるものである。
【００１４】
固定片５は図４（ａ）、（ｂ）に示すように下地αに固定具βにより打設して支持金具Ｄを固定する部分である。支持空間８は図２（ｂ）、図４（ａ）、（ｂ）に示すように、融雪部材Ａを複数個の支持金具Ｄにより固定する部分であり、融雪部材Ａの形状により各種変形して形成される部分である。勿論、下地α上に形成する屋根材Ｆの形状により、支持金具Ｄは各種形状に加工されるものであり、限定されるものではない。
【００１５】
屋根材Ｆの代表例として示す金属製屋根材Ｇは、図３（ａ）、（ｂ）に示すようなものであり、例えば金属板（カラー鋼板、銅板、アルミニウム板、チタン板、ステンレス板、サンドイッチ鋼板、クラッド鋼板等）等をロール成形、プレス成形、押出成形、等によって形成したもの、あるいは窯業系素材、もしくは合成樹脂材（プラスチック）、等である。勿論、屋根材Ｆは、裏打材Ｈを削除した金属製屋根材Ｇのみでも使用可能である。また、その種類としては横葺き用屋根材、瓦棒葺き屋根材、瓦（和瓦）、新生瓦（洋瓦）、スレート系屋根材（スレート瓦屋根）、プレス成形屋根材（金属瓦屋根）、等である。
【００１６】
さらに説明すると、金属製屋根材Ｇは長尺板状であり、その幅方向一側縁を化粧面１０の下側、すなわち、裏面１１側に略コ字状に屈曲して段差化粧面１２と、段差化粧面１２の下端を内側方に突出した差込縁１３と、化粧面１０と段差化粧面１２と差込縁１３とから略コ字状に形成した引っ掛け溝１４とから雄型連結部１５を形成したものである。
【００１７】
また、化粧面１０の他端には化粧面１０の上側に屈曲して断面略Ｕ字状に形成した前記差込縁１３と嵌合する嵌合溝１６と、嵌合溝１６の先端をコ字状に折り返した嵌合縁１７と、嵌合縁１７の先端を下方に屈曲すると共に化粧面１０と略平行で外方にＬ字状に屈曲して延長した固定片１８とから雌型連結部１９を形成したものである。
【００１８】
さらに、長手方向の強度の強化と、外部からの雨水等が毛細管現象により内部に浸入するのを防止する意味で、差込縁１３と嵌合縁１７に凹条２０、凹条２１を形成している。
【００１９】
また、嵌合縁１７には凸条を形成したものであり、この凸条２２は図３（ｂ）に示すように施工された時点で、防水層、気密層として機能するものである。
【００２０】
裏打材Ｈは断熱材、吸音材、緩衝材、防火材、結露防止材、等として機能するものであり、不織布、合成樹脂発泡体、ロックウール、テックス（軟質繊維板）、ゴムシート、樹脂シート、等よりなるものである。
【００２１】
その接着方法は、接着剤、熱融着、等を介して行うものであり、接着剤としては自然硬化型接着剤、常温硬化型接着剤、熱硬化型接着剤、紫外線硬化型接着剤、反応硬化型接着剤、等の少なくとも１種からなるものであり、例えばエポキシ樹脂、フェノール樹脂、ウレタン樹脂、ビニル樹脂、アクリル樹脂、ポリエステル樹脂、ＥＶＡ樹脂等の合成樹脂系の接着剤、ゴム系接着剤、油性系接着剤、等よりなるものである。
【００２２】
その接着は裏打材Ｈと金属製屋根材Ｇの接触面全面、あるいは線状（複数本）、面状（複数本）で横、縦、斜め、等に形成するものである。勿論、全面に接着剤を介して形成した場合には、金属製屋根材Ｇ自体に衝突した時の生ずる固体音（これに対して空気中を伝搬する音を空気音という）が、全面接着と裏打材Ｈの相乗効果により減衰し、家屋内側への騒音の侵入を防止する効果を有するものである。
【００２３】
また、金属製屋根材Ｇの化粧面１０に、滑り性の良い塗料、コーティング材、等を形成した場合には、積もった雪が滑り落ち、融雪部材Ａに常時雪が接触した状態となり、効率的な融雪が可能となるものである。
【００２４】
以上説明したのは本発明に係る雪止兼融雪構造の一実施例であり、熱伝導材Ｂを図５（ａ）〜（ｆ）〜図８（ａ）〜（ｆ）に示すように形成したり、支持金具Ｄを図９（ａ）〜（ｃ）〜図１４（ａ）、（ｂ）に示すように形成したりすることもできるものである。
【００２５】
【発明の効果】
以上説明したように、本発明に係る雪止兼融雪構造によれば、▲１▼融雪と雪止の両方の機能を有する。▲２▼熱効率がよい。▲３▼強度がある。▲４▼加工が楽である。等の特徴、効果がある。
【図面の簡単な説明】
【図１】本発明に係る雪止兼融雪構造の代表的一例を示す説明図である。
【図２】本発明に係る雪止兼融雪構造の代表的一例を示す説明図である。
【図３】本発明に係る雪止兼融雪構造の代表的一例を示す説明図である。
【図４】本発明に係る雪止兼融雪構造の代表的一例を示す説明図である。
【図５】本発明に係る雪止兼融雪構造に使用する熱伝導材のその他の実施例を示す説明図である。
【図６】本発明に係る雪止兼融雪構造に使用する熱伝導材のその他の実施例を示す説明図である。
【図７】本発明に係る雪止兼融雪構造に使用する熱伝導材のその他の実施例を示す説明図である。
【図８】本発明に係る雪止兼融雪構造に使用する熱伝導材のその他の実施例を示す説明図である。
【図９】本発明に係る雪止兼融雪構造に使用する支持金具のその他の実施例を示す説明図である。
【図１０】本発明に係る雪止兼融雪構造に使用する支持金具材のその他の実施例を示す説明図である。
【図１１】本発明に係る雪止兼融雪構造に使用する支持金具材のその他の実施例を示す説明図である。
【図１２】本発明に係る雪止兼融雪構造に使用する支持金具のその他の実施例を示す説明図である。
【図１３】本発明に係る雪止兼融雪構造に使用する支持金具のその他の実施例を示す説明図である。
【図１４】本発明に係る雪止兼融雪構造に使用する支持金具のその他の実施例を示す説明図である。
【符号の説明】
α  下地
β  固定具
Ａ  融雪部材
Ｂ  熱伝導材
Ｃ  発熱材
Ｄ  支持金具
Ｅ  雪止兼融雪具
Ｆ  屋根材
Ｇ  金属製屋根材
Ｈ  裏打材
Ｒ  リベット
１  熱伝導片
２  補強片
３  孔
４  面
５  固定片
６  垂直片
７  傾斜片
８  支持空間
９  固定面
１０  化粧面
１１  裏面
１２  段差化粧面
１３  差込縁
１４  引っ掛け溝
１５  雄型連結部
１６  嵌合溝
１７  嵌合縁
１８  固定片
１９  雌型連結部
２０  凹条
２１  凹条
２２  凸条
【図１】
0004052435.tif 000002
【図２】
0004052435.tif 000003
【図３】
0004052435.tif 000004
【図４】
0004052435.tif 000005
【図５】
0004052435.tif 000006
【図６】
0004052435.tif 000007
【図７】
0004052435.tif 000008
【図８】
0004052435.tif 000009
【図９】
0004052435.tif 000010
【図１０】
0004052435.tif 000011
【図１１】
0004052435.tif 000012
【図１２】
0004052435.tif 000013
【図１３】
0004052435.tif 000014
【図１４】
0004052435.tif 000015